(57)【要約】  視聴者にとって快適な視聴環境を実現可能な表示装置を提供する。この表示装置は、第１の画像を表示する第１の表示面と、その第１の表示面に対して傾斜した角度をなすと共に第２の画像を表示する第２の表示面と、第１の画像および第２の画像を視聴する視聴者の、第１の表示面および第２の表示面に対する相対位置を検出する検出部と、第１の画像の歪みおよび第２の画像の歪みを補正することにより、検出部により検出した相対位置に基づいて視聴者に対して正対する１つの仮想画面を形成する制御部とを備える。
2019111553.tif 000002
【特許請求の範囲】
【請求項１】
第１の画像を表示する第１の表示面と、
前記第１の表示面に対して傾斜した角度をなすと共に第２の画像を表示する第２の表示面と、
前記第１の画像および前記第２の画像を視聴する視聴者の、前記第１の表示面および前記第２の表示面に対する相対位置を検出する検出部と、
前記第１の画像の歪みおよび前記第２の画像の歪みを補正することにより、前記検出部により検出した前記相対位置に基づいて前記視聴者に対して正対する１つの仮想画面を形成する制御部と
を備えた表示装置。
【請求項２】
前記検出部は、前記相対位置の変化を検出し、
前記制御部は、前記相対位置の変化に応じて前記仮想画面の位置を変化させる
請求項１記載の表示装置。
【請求項３】
スピーカをさらに備え、
前記スピーカは、前記視聴者から見た前記仮想画面の位置に対応した位置に音像を形成する
請求項１に記載の表示装置。
【請求項４】
回転軸を含む巻き取り部と、
フレキシブルディスプレイと
をさらに備え、
前記フレキシブルディスプレイは、前記第１の表示面および前記第２の表示面を含み、
前記フレキシブルディスプレイは前記回転軸の回転により巻き取り可能であると共に前記巻き取り部から排出可能である
請求項１記載の表示装置。
【請求項５】
前記巻き取り部は、前記フレキシブルディスプレイへ給電する非接触給電部を含む
請求項４記載の表示装置。
【請求項６】
前記フレキシブルディスプレイは、自らの曲率を検出する曲がり検出センサを有する
請求項４記載の表示装置。
【請求項７】
前記制御部は、前記曲がり検出センサにより検出される前記フレキシブルディスプレイの折り曲げ位置に基づいて前記仮想画面を形成する
請求項６記載の表示装置。
【請求項８】
前記第１の表示面は天井面に設けられ、
前記第２の表示面は壁面に設けられている
請求項１記載の表示装置。
【請求項９】
画像を表示する湾曲した表示面と、前記表示面の曲率を検出する曲がり検出センサとを含むフレキシブルディスプレイと、
前記画像を視聴する視聴者の、前記表示面に対する相対位置を検出する検出部と、
前記画像の歪みを補正することにより、前記検出部により検出した前記相対位置に基づいて前記視聴者に対して正対する１つの仮想画面を形成する制御部と
を備えた表示装置。
【請求項１０】
本体および前記本体から引き出されたケーブルを備えた電子機器と共に壁面に設置される表示装置であって、
前記電子機器の前記本体と前記壁面との間に設けられると共に、回転軸を含む巻き取り部と、
前記回転軸の回転により巻き取り可能であると共に前記巻き取り部から引き出し可能であり、前記巻き取り部から引き出された状態において前記ケーブルを覆うことのできるフレキシブルディスプレイと
を備えた表示装置。
【請求項１１】
第１の方向に延びるガイドレールと、
画像を表示する表示面を有し、前記第１の方向と交差する第２の方向に延びる複数の折り目において折り畳み可能であり、前記第１の方向において最小の寸法となる折り畳み状態と前記第１の方向において最大の寸法となる展開状態との間の状態移行が可能なフレキシブルディスプレイと
を備えた表示装置。
【請求項１２】
制御部をさらに備え、
前記フレキシブルディスプレイは、前記表示面の曲率を検出する曲がり検出センサをさらに有し、
前記制御部は、前記曲がり検出センサにより検出された前記表示面の曲率に基づいて前記表示面に表示される前記画像を補正することにより、前記第１の方向および前記第２の方向の双方を含む平面に平行な仮想画面を形成する
請求項１１記載の表示装置。
【請求項１３】
前記フレキシブルディスプレイが前記折り畳み状態から前記展開状態へ向けて状態移行する際、もしくは前記展開状態となる際に電源が投入され、
前記フレキシブルディスプレイが前記展開状態から前記折り畳み状態へ向けて状態移行する際、もしくは前記折り畳み状態となる際に電源が切断される
請求項１１記載の表示装置。
【請求項１４】
前記フレキシブルディスプレイは、前記ガイドレールを介して電源供給される
請求項１１記載の表示装置。
【請求項１５】
前記フレキシブルディスプレイは、前記第１の方向における寸法に応じて、前記画像の大きさを変化させる
請求項１１記載の表示装置。
【請求項１６】
前記フレキシブルディスプレイは、前記表示面の背面に設けられ、通電時において非通電時よりも高い剛性を示す機能部材をさらに有する
請求項１１記載の表示装置。
【発明の詳細な説明】
【技術分野】
【０００１】
本開示は、表示装置に関する。
【背景技術】
【０００２】
これまでに、折り畳んだり巻いたりすることのできる柔軟性を有するフレキシブル表示パネルを用いた表示装置が提案されている（例えば特許文献１参照）。
【先行技術文献】
【特許文献】
【０００３】
【特許文献１】特開２０１４−２３４８号公報
【発明の概要】
【０００４】
最近では、表示装置の大画面化および薄型化が顕著である。しかしながら、屋内空間の大きさには限度があり、そのような大画面の表示装置を設置可能な大きさの壁面や天井面を確保することが困難となることが予想される。
【０００５】
したがって、限られた大きさの屋内空間であっても、視聴者にとって快適な視聴環境を実現可能な表示装置を提供することが望まれる。
【０００６】
本開示の一実施形態としての表示装置は、第１の画像を表示する第１の表示面と、その第１の表示面に対して傾斜した角度をなすと共に第２の画像を表示する第２の表示面と、第１の画像および第２の画像を視聴する視聴者の、第１の表示面および第２の表示面に対する相対位置を検出する検出部と、第１の画像の歪みおよび第２の画像の歪みを補正することにより、検出部により検出した相対位置に基づいて視聴者に対して正対する１つの仮想画面を形成する制御部とを備える。
【０００７】
本開示の一実施形態としての表示装置によれば、視聴者にとって快適な視聴環境を実現可能である。
なお、本開示の効果はこれに限定されるものではなく、以下に記載のいずれの効果であってもよい。
【図面の簡単な説明】
【０００８】
【図１Ａ】本開示の第１の実施の形態に係る表示装置、およびその視聴環境を模式的に表す概略図である。
【図１Ｂ】図１Ａに示した表示装置、およびその視聴環境を模式的に表す他の概略図である。
【図２】図１Ａに示した表示装置の概略構成例を表すブロック図である。
【図３Ａ】図２に示した表示装置の画像処理部が受信する画像処理前の画像信号に基づく画像の例を表す説明図である。
【図３Ｂ】図１Ａに示した表示装置において画像処理を施すことなく表示部に表示された画像を、視聴者が視聴する様子を表す説明図である。
【図３Ｃ】図１Ａに示した表示装置において画像処理を施したのちに表示部に表示された画像を、視聴者が視聴する様子を表す説明図である。
【図４】図１に示した表示装置における画像処理の方法について説明する説明図である。
【図５Ａ】本開示の第２の実施の形態に係る表示装置、およびその視聴環境を模式的に表す概略図である。
【図５Ｂ】図５Ａに示した表示装置、およびその視聴環境を模式的に表す他の概略図である。
【図６】図５Ａに示した表示装置における画像処理の方法について説明する説明図である。
【図７】本開示の第３の実施の形態に係る表示装置、およびその使用方法を表す概略図である。
【図８Ａ】本開示の第４の実施の形態に係る表示装置の一態様を表す概略図である。
【図８Ｂ】図８Ａに示した表示装置の他の一態様を表す概略図である。
【図９Ａ】図８Ａに示した表示装置の一使用例を表す概略図である。
【図９Ｂ】図８Ａに示した表示装置の他の一使用例を表す概略図である。
【図１０】図１Ａに示した表示装置の第１の変形例としての表示装置、およびその視聴環境を模式的に表す概略図である。
【図１１】図１Ａに示した表示装置の第２の変形例としての表示装置、およびその視聴環境を模式的に表す概略図である。
【発明を実施するための形態】
【０００９】
以下、本開示の実施の形態について図面を参照して詳細に説明する。なお、説明は以下の順序で行う。
１．第１の実施の形態
非平行の２つの表示面により表示される２つの画像を補正して１つの仮想画面を形成するようにした表示装置の例。
２．第２の実施の形態
弯曲した表示面を有し、視聴者の位置に応じて、その視聴者に正対する仮想画面を形成するようにした表示装置の例。
３．第３の実施の形態
巻き取りおよび引き出しが可能であって電子機器のケーブルを覆うことのできるフレキシブルディスプレイを備えた表示装置の例。
４．第４の実施の形態
折り畳み状態と展開状態との状態移行が可能なドレープカーテン型フレキシブルディスプレイを備えた表示装置の例。
５．変形例
【００１０】
＜１．第１の実施の形態＞
［表示装置１の構成］
図１Ａは、本開示の第１の実施の形態としての表示装置１、およびその表示装置１を視聴する視聴者Ｖの視聴環境を表す概略図である。図１Ｂは、表示装置１、およびその視聴環境を、図１Ａと異なる方向から表す他の概略図である。さらに、図２は、表示装置１の概略構成例を表すブロック図である。
【００１１】
図１Ａおよび図１Ｂに示したように、表示装置１は、床面ＦＳと、その床面ＦＳに立設する壁面ＷＳと、鉛直方向において床面ＦＳと対向する天井面ＣＳとを有する室内空間に配置される。より具体的には、表示装置１は、天井面ＣＳから壁面ＷＳに亘って設けられている。なお、本明細書では、鉛直方向をＺ軸方向とし、そのＺ軸方向と直交すると共に壁面ＷＳに平行な水平方向をＸ軸方向とし、その壁面ＷＳに直交する方向をＹ軸方向とする。
【００１２】
図１Ａに示したように、表示装置１は、巻き取り部１０と、表示部２０と、展開部３０と、給電部６０とを有している。表示装置１は、図２に示したように、検出部４０と、制御部５０とをさらに備えている。
【００１３】
（巻き取り部１０）
巻き取り部１０は、天井面ＣＳに設けられており、図１Ｂに示したように、回転軸Ｊ１０を中心として＋Ｒ１０方向および−Ｒ方向の双方向へ回転可能な円筒状のシャフトを有している。巻き取り部１０のシャフトが回転軸Ｊ１０を中心として例えば−Ｒ方向へ回転することにより、可撓性を有するシート状の表示部２０を巻き取ることができるようになっている。巻き取り部１０のシャフトは、例えばステンレス鋼などの金属材料や硬質樹脂などの、フレキシブルディスプレイよりも高い剛性を有する材料からなる略円筒状の部材である。巻き取り部１０のシャフトの内部には、スピーカ１３Ｌ，１３Ｒおよび制御基板１４などが設けられている。また、巻き取り部１０のシャフトが回転軸Ｊ１０を回転中心として＋Ｒ１０方向へ回転することにより、表示部２０を順次排出するようになっている。なお、本実施の形態では、回転軸Ｊ１０がＸ軸と平行となっている。
【００１４】
スピーカ１３Ｌ，１３Ｒは、それぞれ、音声情報を再生するアクチュエータである。スピーカ１３Ｌは、巻き取り部１０のうち、視聴者から見て左側の端部近傍に設けられ、スピーカ１３Ｒは、巻き取り部１０のうち、視聴者から見て右側の端部近傍に設けられている。
【００１５】
制御基板１４は、例えば視聴者の操作を受け付ける操作受付部や、例えば天井面ＣＳに設けられた給電部６０から非接触で電力供給を受け付ける受電部、あるいは外部とのデータ通信を行うＮＦＣ通信部などを有している。制御基板１４は、さらに、ＲＡＭ（Random Access Memory）、ＲＯＭ（Read Only Memory）、およびＣＰＵ（Central Processing Unit）などを有しているとよい。ＲＯＭは、表示装置１において用いられる様々な情報を記憶する、書き変え可能な不揮発性のメモリである。ＲＯＭは、表示装置１において実行されるプログラムや、検出部４０により検出された各種情報に基づく様々な設定情報を記憶している。ＣＰＵは、ＲＯＭに記憶された各種プログラムを実行することにより、表示装置１の動作を制御するものである。ＲＡＭは、このＣＰＵがプログラムを実行する際に、一時記憶領域として機能するものである。
【００１６】
巻き取り部１０には、さらに、巻き取り部１０から見た視聴者Ｖの画像、および巻き取り部１０と視聴者Ｖとの距離の情報を取得する撮像装置４１が設けられている。なお、撮像装置４１は、検出部４０（図２）の一構成要素である。
【００１７】
（表示部２０）
表示部２０は、いわゆるフレキシブルディスプレイであり、可撓性を有する１枚のシート状の表示デバイスである。表示部２０は、巻き取り部１０のシャフトの回転により巻き取られて巻き取り部１０に収容可能となっている。表示部２０は、第１の表示面２１Ｓを含む第１の表示部分２１と、第２の表示面２２Ｓを含む第２の表示部分２２とを有する。第１の表示面２１Ｓおよび第２の表示面２２Ｓは、後述する画像処理部５２から供給される画像信号に基づいて第１の画像および第２の画像をそれぞれ表示する。第１の表示面２１Ｓと第２の表示面２２Ｓとは、互いに傾斜した角度をなしている。図１Ａおよび図１Ｂの例では、第１の表示面２１Ｓを含む第１の表示部分２１は天井面ＣＳに設けられ、第２の表示面２２Ｓを含む第２の表示部分２２は壁面ＷＳに設けられている。表示部２０は、例えば有機ＥＬ（Electro Luminescence）素子などの自発光素子や液晶素子などの表示素子を用いた複数の画素を、２枚の可撓性フィルムの間に配設したものである。
【００１８】
表示部２０の一端は巻き取り部１０に接続され、表示部２０の他端は展開部３０に接続されている。表示部２０は、回転軸Ｊ１０を回転中心とする巻き取り部１０の−Ｒ１０方向への回転により、巻き取り部１０に巻き取られるようになっている。また、表示部２０は、回転軸Ｊ１０を回転中心とする巻き取り部１０の＋Ｒ１０方向への回転により、巻き取り部１０から天井面ＣＳに沿って＋Ｙ方向へ排出されたのち、壁面ＷＳに沿って−Ｚ方向、すなわち下方へ展開される。
【００１９】
表示部２０における第１の表示面２１Ｓおよび第２の表示面２２Ｓの背後には、例えばＸ軸方向の両端縁に沿って並ぶ複数の圧電センサ２３が設けられている。複数の圧電センサ２３は、それぞれ、印加された力を電圧に変換する圧電体を含む受動素子である。したがって、表示部２０における第１の表示面２１Ｓおよび第２の表示面２２Ｓに曲げや捻りなどの外力が印加されると、複数の圧電センサ２３には、それぞれの位置に応じた応力が印加されるようになっている。したがって、複数の圧電センサ２３は、それぞれ、第１の表示面２１Ｓおよび第２の表示面２２Ｓにおける曲率を検出する曲がり検出センサとして機能する。これらの複数の圧電センサ２３により、表示部２０の変曲点ＢＬ，ＢＲが検出される。なお、複数の圧電センサ２３もまた、それぞれ検出部４０（図２）の一構成要素である。
【００２０】
（展開部３０）
展開部３０は、表示部２０の先端に接続されている。展開部３０は、例えば巻き取り部１０と同様に、例えばステンレス鋼などの金属材料や硬質樹脂などの、表示部２０よりも高い剛性を有する材料からなる略円筒状の部材である。ただし展開部３０は、巻き取り部１０から遠ざかったり巻き取り部１０に近づいたり移動するものの、巻き取り部１０と異なり自ら回転するシャフトを有しない。展開部３０の内部には、スピーカ３２Ｌ，３２Ｒなどが設けられている。展開部３０には、さらに、展開部３０から見た視聴者Ｖの画像および展開部３０と視聴者Ｖとの距離の情報を取得する撮像装置４２が設けられている。なお、撮像装置４２もまた、検出部４０（図２）の一構成要素である。
【００２１】
（検出部４０）
検出部４０は、上述したように、巻き取り部１０に設けられた撮像装置４１と、表示部２０に設けられた複数の圧電センサ２３と、展開部３０に設けられた撮像装置４２とを有している。検出部４０は、上記各種センサにより表示装置１に関する各種情報を取得し、それらの各種情報を例えば図２に示したように制御部５０の解析部５１（後述）に検出信号Ｓ１として送信するように機能する。各種情報には、例えば、撮像装置４１により取得される視聴者Ｖの画像および撮像装置４１から視聴者Ｖまでの距離情報と、撮像装置４２により検出される視聴者Ｖの画像および撮像装置４２から視聴者Ｖまでの距離情報とが含まれる。さらに、各種情報には、複数の圧電センサ２３により検出される表示部２０の変曲点ＢＬ，ＢＲの位置の情報も含まれる。
【００２２】
（制御部５０）
制御部５０は、例えば制御基板１４に設けられたＣＰＵの機能として、図２に示したように、解析部５１と、画像処理部５２とを有している。
【００２３】
解析部５１は、検出部４０から送信される各種情報を解析し、その解析結果として、表示装置１の状態、例えば第１の表示面２１Ｓおよび第２の表示面２２Ｓの状態を推定するものである。具体的には、解析部５１において複数の圧電センサ２３により検出される各電圧の変化を解析することにより、表示部２０の表示面のうち、どの部分にどの程度の曲がりや歪みが生じているか、を推定することができる。すなわち、第１の表示部分２１と第２の表示部分２２との境界位置に相当する折り曲げ線ＢＰの位置が推定される。折り曲げ線ＢＰとは、変曲点ＢＬと変曲点ＢＲとを結ぶ線である。また、撮像装置４１により検出される視聴者Ｖの画像および撮像装置４１から視聴者Ｖまでの距離情報と、撮像装置４２により検出される視聴者Ｖの画像および撮像装置４２から視聴者Ｖまでの距離情報とを、解析部５１において綜合して解析することで、第１の表示面２１Ｓおよび第２の表示面２２Ｓに対する視聴者Ｖの相対位置を推定できる。すなわち、第１の表示面２１Ｓおよび第２の表示面２２Ｓに対する、視聴者Ｖの顔の位置や視聴者Ｖの両眼の位置を推定できる。また、解析部５１は、撮像装置４１，４２により検出される視聴者Ｖの画像を解析することにより、水平方向に対する、視聴者Ｖの両眼を結ぶ線の傾き、すなわち、視聴者Ｖの左右方向への顔の傾きを求めることもできる。さらに、解析部５１は、撮像装置４１，４２により検出される視聴者Ｖの画像を解析することにより、視聴者Ｖが睡眠中であるか覚醒中であるかの判断を行うこともできる。
【００２４】
解析部５１は、その解析結果を解析信号Ｓ２として画像処理部５２へ送信するようになっている。画像処理部５２は、解析部５１の解析結果に基づき、視聴者Ｖに正対した歪みの少ない仮想画面ＶＳ１を形成する。すなわち画像処理部５２は、複数の圧電センサ２３により検出される表示部２０の折り曲げ線ＢＰと、撮像装置４１，４２により検出される第１の表示面２１Ｓおよび第２の表示面２２Ｓに対する視聴者Ｖの相対位置とに基づいて仮想画面ＶＳ１を形成する。仮想画面ＶＳ１は、視聴者Ｖの視線ＶＬ上に形成される。また、画像処理部５２は、水平方向に対する視聴者Ｖの左右方向の顔の傾きに基づき、仮想画面ＶＳ１を傾けるようにしてもよい。その際、画像処理部５２は、外部から入力される画像信号Ｓ０に基づく第１の表示面２１Ｓ上の第１の画像の歪み、および画像信号Ｓ０に基づく第２の表示面２２Ｓに表示される第２の画像の歪みに対し、画像処理として補正を加える。画像処理部５２は、画像処理を行った画像信号Ｓ３を表示部２０へ送信する（図２）。
【００２５】
（給電部６０）
給電部６０は、巻き取り部１０の近傍に設けられ、表示部２０へ給電する非接触型の給電部材である。なお、給電部６０は、非接触型のものに限定されず、接触型の給電部材であってもよい。但し、非接触型のほうが、設計上の自由度が向上するので好ましい。
【００２６】
［表示装置１の動作］
（Ａ．基本動作）
まず、表示装置１の基本動作について説明する。この表示装置１では、電源オフの際には収納状態となっている。すなわち、表示部２０は巻き取り部１０に収納されて巻き取り部１０と展開部３０とが最も近接した状態となっている。視聴者Ｖなどによるリモートコントローラの操作などにより表示装置１の電源が投入されると、表示装置１は、収納状態から図１Ａおよび図１Ｂに示した展開状態へ移行する。表示装置１の電源の投入は音声による指示でなされてもよいし、あるいは、外部から画像処理部５２に対する画像信号Ｓ０の入力によりなされるようにしてもよい。また、この表示装置１では、例えば制御部５０の指示により、視聴者Ｖの画像や撮像装置４１，４２と視聴者Ｖとの距離情報、あるいは表示部２０の変曲点ＢＬ，ＢＲの位置の情報を検出部４０により随時取得するようにしてもよい。取得したこれらの各種情報は、制御基板１４におけるＲＯＭなどに保持する。
【００２７】
この表示装置１では、図２に示したように、画像処理部５２において、外部から入力される画像信号Ｓ０に対し画像処理が行われ、画像処理部５２において生成された画像信号Ｓ３が、表示部２０へ入力される。その画像処理は、解析部５１からの解析信号Ｓ２に基づいて行われる、画像の表示モードの切り替え制御である。解析部５１における解析は、検出部４０からの検出信号Ｓ１に含まれる各種情報について実施される。表示部２０では、画像処理部５２からの画像信号Ｓ３に基づく表示モードにより、画像表示が行われる。
【００２８】
（Ｂ．詳細動作）
次に、図３Ａ〜図３Ｃおよび図４を参照して、表示装置１における詳細動作を説明する。
【００２９】
図３Ａは、表示装置１の画像処理部５２が受信する画像処理前の画像信号Ｓ０に基づく画像を正面から眺めた例を表している。図３Ｂは、図３Ａに示した画像を、画像処理部５２において画像処理を施すことなく表示装置１の表示部２０に表示し、その画像を視聴者Ｖが視聴する様子を表している。この場合、図３Ｂに示したように、画像のおおよそ上半分が第１の表示部分２１の第１の表示面２１Ｓに表示され、画像のおおよそ下半分が第２の表示部分２２の第２の表示面２２Ｓに表示される。しかしながら、視聴者Ｖは下方から表示部２０を見上げて視聴しているので、視聴者Ｖには、第１の表示面２１Ｓの画像および第２の表示面２２Ｓの画像のいずれもが歪んで見えてしまう。特に、本実施の形態の例では、第１の表示面２１Ｓと第２の表示面２２Ｓとが互いに非平行である。このため、第１の表示面２１Ｓの画像の歪み方と第２の表示面２２Ｓの画像の歪み方とが異なっており、例えば第１の表示面２１Ｓの画像のほうが第２の表示面２２Ｓの画像よりも上下方向において大きく潰れている。したがって、視聴者Ｖにとっては、第１の表示面２１Ｓの画像と第２の表示面２２Ｓの画像とが連結された１つの画像として認識しづらい。
【００３０】
そこで、本実施の形態の表示装置１では、解析部５１において検出信号Ｓ１の解析を行い、画像処理部５２において解析部５１からの解析信号Ｓ２に基づいて適切な画像処理を行うことで、歪みの少ない仮想画面ＶＳ１を形成する。すなわち、表示部２０の変曲点ＢＬ，ＢＲの位置の情報に基づき、第１の表示面２１Ｓと第２の表示面２２Ｓとを正確に切り出し、それぞれに表示されるべき画像に対し、それぞれに適した補正を行う。例えば、天井面ＣＳに位置する第１の表示面２１Ｓに表示される画像は、画像処理を施さなければ、下底の長さよりも上底の長さのほうが長い逆台形状に歪んで視認される。よって、第１の表示面２１Ｓに表示される画像については、下底の近傍の拡大率よりも上底の近傍の拡大率を高くするように線形補完するとよい。一方、視聴者Ｖの正面上方に位置する第２の表示面２２Ｓに表示される画像は、画像処理を施さなければ、下底の長さよりも上底の長さのほうが短い台形状に歪んで視認される。よって、第２の表示面２２Ｓに表示される画像については、下底の近傍の拡大率よりも上底の近傍の拡大率を低くするように線形補完するとよい。制御部５０は、そのような画像処理を施した画像信号Ｓ３を表示部２０へ画像処理部５２から送信し、画像処理後の画像を第１の表示面２１Ｓおよび第２の表示面２２Ｓにそれぞれ表示させる。その結果、図３Ｃに示したように、視聴者Ｖの視線ＶＬの先に、視聴者Ｖから見て正対した位置に歪みの少ない画像が表示部２０に表示される。なお図３Ｃは、図３Ａに示した画像を、画像処理部５２において画像処理を施したのちに表示装置１の表示部２０に表示し、その画像を視聴者Ｖが視聴する様子を表している。
【００３１】
図４は、上述の線形補完を行う際の倍率について説明する概略図である。図４に示したように、視聴者Ｖの視聴位置、例えば両眼の位置から第１の表示部分２１の上端位置までの距離をＬＵとする。また、視聴者Ｖの視聴位置から第１の表示部分２１の下端位置、すなわち折り曲げ線ＢＰまでの距離をＬＭとする。さらに、視聴者Ｖの視聴位置から第２の表示部分２２の下端位置までの距離をＬＬとする。ここで、仮想画面ＶＳ１の上端位置を第１の表示部分２１の上端位置と揃える場合を想定する。この場合、仮想画面ＶＳ１を形成するにあたり、第１の表示部分２１の上端に表示される画像処理後の画像は画像処理前の画像の１倍とする。また、第１の表示部分２１の下端に表示される画像処理後の画像は画像処理前の画像の（ＬＭ／ＬＵ）倍とする。さらに、第１の表示部分２１の上端と第１の表示部分２１の下端との間の画像処理後の画像については、画像処理前の画像の１倍から（ＬＭ／ＬＵ）倍までの間の倍率で線形補完する。同様に、第２の表示部分２２の上端に表示される画像処理後の画像は画像処理前の画像の（ＬＭ／ＬＵ）倍とする。また、第２の表示部分２２の下端に表示される画像処理後の画像は画像処理前の画像の（ＬＬ／ＬＵ）倍とする。さらに、第２の表示部分２２の上端と第２の表示部分２２の下端との間の画像処理後の画像については、画像処理前の画像の（ＬＭ／ＬＵ）倍から（ＬＬ／ＬＵ）倍までの間の倍率で線形補完する。なお、画像処理後の画像において第１の表示面２１Ｓおよび第２の表示面２２Ｓの双方からはみ出す部分については切り取られる。あるいは、切り取りをせずに、はみ出し量に応じた倍率で縮小することで画像全体を表示部２０に表示させるようにしてもよい。但し、そのように画像全体を縮小した場合には、表示部２０の上端部、下端部、左端部および右端部のうちの少なくとも一部に黒表示部分が生じることもある。
【００３２】
［表示装置１の作用効果］
このように、表示装置１では、検出部４０により検出した、視聴者Ｖの第１の表示面２１Ｓおよび第２の表示面２２Ｓに対する相対位置に基づいて、視聴者Ｖに対して正対する１つの仮想画面ＶＳ１を形成するようにした。このため、表示装置１によれば、視聴者Ｖの姿勢に応じて、その視聴者Ｖが視認しやすい仮想画面ＶＳ１が形成されるので、視聴者Ｖにとって快適な視聴環境が提供される。
【００３３】
また、表示装置１では、第１の表示面２１Ｓおよび第２の表示面２２Ｓを含む表示部２０がフレキシブルディスプレイであるので、薄型化や軽量化に好適であり、設置場所の自由度が向上する。表示部２０が巻き取り部１０に収納可能であるので、視聴時以外において室内にいる人間に対して圧迫感を与えにくい。
【００３４】
また、表示装置１では、の表示部２０に、曲がり検出センサとしての圧電センサ２３が設けられているので、第１の表示面２１Ｓと第２の表示面２２Ｓとの境界位置、すなわち変曲点ＢＬ，ＢＲが検出できる。したがって、表示装置１の設置位置を変更して変曲点ＢＬ，ＢＲの位置が変わったとしても、第１の画像の歪みの補正および第２の画像の歪みの補正が適切に行われる。その結果、視聴者にとって快適な視聴環境が提供される。さらに、制御部５０が、圧電センサ２３により検出される表示部２０の曲率に基づいて仮想画面ＶＳ１を形成するとよい。より高精度の歪みの補正が可能となり、視聴者にとってより快適な視聴環境が提供されるからである。
【００３５】
＜２．第２の実施の形態＞
［表示装置２の構成］
図５Ａは、本開示の第２の実施の形態としての表示装置２、およびその表示装置２を視聴する視聴者Ｖを真上から眺めた様子を表す概略図である。図５Ｂは、表示装置２、およびその表示装置２を視聴する視聴者Ｖを斜め上方から眺めた様子を表す概略図である。
【００３６】
図５Ａおよび図５Ｂに示したように、表示装置２は、鉛直方向を軸方向とする略円筒状の表示部２４を備えている。表示部２４は、その外周面に表示面２４Ｓを有しており、表示部２４における周回方向（矢印Ｙ２４の方向）の一部に、鉛直方向に延びるスリット２４Ｋが形成されている。表示部２４は表示部２０と同様、可撓性を有するシート状の表示デバイスである。したがって、表示部２４の周回方向において、スリット２４Ｋの幅が広がったり狭まったりすることで、その内径２４Ｄが拡大および縮小するようになっている。また、表示部２４のうち表示面２４Ｓの背後には複数の圧電センサ２３が周回方向に沿って複数設けられている。これらの複数の圧電センサ２３により、内径２４Ｄに変化に伴う表示面２４Ｓにおける曲率の変化を検出し、推定することができるようになっている。さらに、表示部２４の上端２４Ｕの近傍には、撮像装置４３が表示部２４の周回方向に沿って複数設けられている。
【００３７】
表示装置２は、表示装置１と同様に、検出部４０と制御部５０とを備えている（図２）。但し、表示装置２における検出部４０には、複数の圧電センサ２３と、複数の撮像装置４３とが含まれる。
【００３８】
表示装置２では、撮像装置４３により検出される視聴者Ｖの画像および距離情報、ならびに、複数の圧電センサ２３により検出される各電圧の変化などの各種情報が、検出信号Ｓ１として制御部５０の解析部５１へ送られる。なお、この表示装置２では、例えば制御部５０の指示により、視聴者Ｖの画像や撮像装置４３と視聴者Ｖとの距離情報、あるいは複数の圧電センサ２３により検出される各電圧の変化の情報を検出部４０により随時取得するようにしてもよい。取得したこれらの各種情報は、制御基板１４におけるＲＯＭなどに保持する。解析部５１では、その検出信号Ｓ１に基づき、視聴者Ｖの顔の位置や傾きおよび両眼の位置などを算出すると共に、表示面２４Ｓのうちの視聴者Ｖと対向する部分における曲率を算出し、解析信号Ｓ２として画像処理部５２へ送信する。画像処理部５２では、解析信号Ｓ２に基づき、視聴者Ｖに正対する平坦な仮想画面ＶＳ２を形成する。視聴者Ｖに正対する平坦な仮想画面ＶＳ２は、視聴者Ｖに向かう画像光Ｌに対し直交している。
【００３９】
図６は、上述の仮想画面ＶＳ２を形成する際の非線形補完について説明する概略図である。図６に示したように、視聴者Ｖの視聴位置、例えば両眼の位置から表示面２４Ｓまでの最短距離をＬＭとする。また、視聴者Ｖの視聴位置から、その視聴者Ｖが視認できる右端の位置までの距離をＬＲとし、視聴者Ｖの視聴位置から、その視聴者Ｖが視認できる左端の位置までの距離をＬＬとする。ここで、仮想画面ＶＳ２の左右方向の中央の位置を、視聴者Ｖの視聴位置から距離ＬＲの表示面２４Ｓの位置、すなわち、その視聴者Ｖが視認できる表示面２４Ｓのうちの左右方向（矢印Ｙ２４の方向）の中央の位置に設定する場合を想定する。この場合、仮想画面ＶＳ２を形成するにあたり、視聴者Ｖが視認できる右端の位置に表示される画像処理後の画像は画像処理前の画像の（ＬＲ／ＬＭ）倍とする。同様に、視聴者Ｖが視認できる左端の位置に表示される画像処理後の画像は画像処理前の画像の（ＬＬ／ＬＭ）倍とする。さらに、視聴者Ｖが視認できる右端の位置と中央の位置との間の画像処理後の画像については、画像処理前の画像の１倍から（ＬＲ／ＬＭ）倍までの間の倍率で曲率に応じて非線形補完する。同様に、視聴者Ｖが視認できる左端の位置と中央の位置との間の画像処理後の画像については、画像処理前の画像の１倍から（ＬＬ／ＬＭ）倍までの間の倍率で曲率に応じて非線形補完する。
【００４０】
［表示装置２の作用効果］
このように、表示装置２では、検出部４０により検出した視聴者Ｖの相対位置および表示面２４Ｓの曲率に基づいて、視聴者Ｖの位置に応じて、視聴者Ｖに対して正対する仮想画面ＶＳ２を形成するようにした。よって、視聴者Ｖが移動した場合であってもより高精度の歪みの補正が可能となり、視聴者にとってより快適な視聴環境が提供される。例えば、視聴者Ｖが表示面２４Ｓの周回方向に沿って移動しながらある立体物の映像を視聴することで、その視聴者Ｖはその立体物が現実にその場に載置されているかのような臨場感を疑似的に味わうことができる。
【００４１】
＜３．第３の実施の形態＞
［表示装置３の構成］
図７は、本開示の第３の実施の形態に係る表示装置３、および表示装置３の使用方法を表す概略図である。この表示装置３は、電子機器本体１００および電子機器本体１００から引き出されたケーブル１０１を備えた電子機器と共に壁面に設置されるものである。表示装置３は、上記第１の実施の形態における表示装置１と同様に、巻き取り部１０と表示部２０とを備えている。巻き取り部１０は、回転軸Ｊ１０を含んでおり、電子機器本体１００の背後、すなわち電子機器本体１００と壁面との間に設けられている。表示部２０は、いわゆるフレキシブルディスプレイであり、回転軸Ｊ１０の回転により巻き取り可能であると共に巻き取り部１０から下方、すなわち−Ｚ方向へ引き出し可能となっている。ただし、表示部２０は、巻き取り部１０から引き出された状態において、視聴者から見てケーブル１０１よりも手前に位置するようになっている。
【００４２】
［表示装置３の作用効果］
この表示装置３では、例えば−Ｒ１０方向へ回転軸Ｊ１０を回転させることにより表示部２０を巻き取り部１０の内部へ収容するように巻き取ることができる。したがって、表示部２０の先端２０Ｔが少なくとも電子機器本体１００の背後に位置するように、例えば位置Ｐ１にあれば、表示装置３の表示部２０そのものが視聴者に視認されることはない。その状態から、例えば表示部２０の先端２０Ｔが位置Ｐ１から位置Ｐ２を経て位置Ｐ３に到達するまで表示部２０を巻き取り部１０から引き出すことにより、ケーブル１０１を表示部２０の背後に隠すことができる。その際、表示部２０に、周囲の壁面と同様の模様の画像を表示したり、周囲の壁面と親和性の高い画像を表示したりすることで、視聴者にとって快適な屋内環境をもたらすことができる。電子機器本体１００が表示装置であれば、電子機器本体１００に表示される画像と連動した画像を表示部２０に表示させてもよい。
【００４３】
このように、本実施の形態の表示装置３によれば、表示部２０によってケーブル１０１を覆いつつ、周囲の環境にマッチした画像をその表示部２０に表示させることができる。よって、視聴者にとって快適な視聴環境が提供される。
【００４４】
＜４．第４の実施の形態＞
［表示装置４の構成］
図８Ａおよび図８Ｂは、それぞれ、本開示の第４の実施の形態に係る表示装置４の全体構成例を模式的に表す概略図である。特に図８Ａは、後述する折り畳み状態の一態様を表すものであり、図８Ｂは、後述する展開状態の一態様を表すものである。表示装置４は、例えば第１の方向としての水平方向に延びるレール６１と、そのレール６１に吊り下げられた表示部２０Ｄとを備えている。表示部２０Ｄには、レール６１を介して電源供給されるとよい。
【００４５】
表示部２０Ｄは、表示面２０ＤＳを含むフレキシブルディスプレイであり、ドレープカーテンのようにプリーツ２０Ｐ１，２０Ｐ２が複数形成されている。したがって、表示部２０Ｄは、レール６１の延在方向に沿って折り畳まれて寸法が縮小されている状態、すなわち図８Ａの折り畳み状態と、レール６１の延在方向に沿って広がった状態、すなわち図８Ｂの展開状態との間の状態移行が可能である。表示部２０Ｄにおけるプリーツ２０Ｐ１，２０Ｐ２とは、レール６１の延在方向と交差する第２の方向としての鉛直方向に延びる折り目をいう。表示部２０Ｄでは、山の部分の頂点であるプリーツ２０Ｐ１と、谷の部分の頂点であるプリーツ２０Ｐ２とが水平方向において交互に配列されている。
【００４６】
表示装置４は、表示装置１と同様に、検出部４０と制御部５０とを備えている（図２）。但し、表示装置４における検出部４０には、レール６１の延在方向に沿って配列された複数の位置センサ６２が含まれる。複数の位置センサ６２は、例えばレール６１の延在方向における複数のプリーツ２０Ｐ１の位置をそれぞれ検出する撮像装置である。表示装置４の表示部２０Ｄもまた、表示装置１と同様に、複数の圧電センサ２３を有している。複数の圧電センサ２３は、例えばレール６１の延在方向に沿って配列されている。複数の位置センサ６２により複数のプリーツ２０Ｐ１の位置をそれぞれ検出し、複数の圧電センサ２３により各々の電圧変化を検出することで、表示面２０ＤＳの形状や表示面２０ＤＳの弛み具合を制御部５０などにより推定することができる。
【００４７】
［表示装置４の作用効果］
表示装置４では、表示部２０Ｄの表示面２０ＤＳに画像を表示させる際には、図８Ｂに示したように、例えば視聴者自らの手動により表示部２０Ｄの右端を矢印Ｙ４で示したように右方向へ展開させ、表示面２０ＤＳを平坦面に近づける。位置センサ６２により、図８Ａの折り畳み状態から図８Ｂの展開状態へ状態移行したことが検出される。ここで、バイオメタルファイバのような、通電時に高い剛性を呈し、非通電時に可撓性を呈する機能部材６３を表示部２０Ｄに取り付けておくとよい。表示面２０ＤＳに画像を表示させる際にはその機能部材６３に通電して表示面２０ＤＳの平坦性を維持する一方、表示面２０ＤＳに画像を表示させない場合には、その素材への通電を行わないことで表示部２０Ｄを折り畳むことができる。
【００４８】
展開状態においてリモートコントローラの操作などにより表示装置４の電源が投入されると、表示面２０ＤＳに画像信号Ｓ３（図２）に基づく画像が表示される。なお、表示装置４の電源の投入は音声による指示でなされてもよいし、あるいは、外部から画像処理部５２に対する画像信号Ｓ０の入力によりなされるようにしてもよい。あるいは、折り畳み状態から展開状態への状態移行の開始もしくは完了を検出することで表示装置４の電源の投入を行うようにしてもよい。さらに、表示装置４の電源の切断動作については、例えば展開状態から折り畳み状態への状態移行の開始もしくは完了を検出することで行うようにしてもよい。
【００４９】
また、図９Ａおよび図９Ｂに示したように、折り畳み状態においても表示面２０ＤＳでの画像表示は可能である。図９Ａは、折り畳み状態の表示部２０Ｄにおける１つのプリーツ２０Ｐ１に沿って文字情報を表示した例を表している。図９Ｂは、例えば水平方向と鉛直方向とに沿った平坦な仮想画面ＶＳ４を形成するようにした例を表している。ここでは、複数の位置センサ６２による複数のプリーツ２０Ｐ１の位置と、複数の圧電センサ２３による各々の電圧変化とに基づいて表示面２０ＤＳの形状等を推定し、画像処理部５２により仮想画面ＶＳ４を形成する。図９Ｂで形成される仮想画面ＶＳ４の大きさは、表示部２０Ｄの水平方向の寸法に応じて変化する。すなわち、複数の位置センサ６２による複数のプリーツ２０Ｐ１の位置の検出により表示部２０Ｄの水平方向の寸法が推定されるので、仮想画面ＶＳ４の大きさは、表示部２０Ｄの引き出し量、すなわち、表示部２０Ｄの広がり具合によって変化する。
【００５０】
このように本実施の形態の表示装置４は、水平方向に延びるレール６１に吊り下げられたドレープカーテン状の可撓性を呈する表示部２０Ｄを備えるようにしたものである。このため、不使用時には表示部２０Ｄをコンパクトなサイズに縮退させる一方、使用時には表示部２０Ｄをすばやく展開することができる。したがって、視聴者に対し優れた利便性と快適な屋内環境とを提供できる。
【００５１】
また、表示装置４では、制御部５０は、圧電センサ２３および位置センサ６２の検出信号Ｓ１に基づいて表示面２０ＤＳの形状を推定し、その形状に基づいて画像を補正して仮想画面ＶＳ４を形成するようにした。このため、表示部２０Ｄが完全な展開状態でなくとも、視聴者は歪みの少ない画像を視聴することができる。
【００５２】
また、表示装置４では、例えば表示部２０Ｄが折り畳み状態から展開状態へ向けて状態移行する際、もしくは展開状態となる際に電源が投入されるようにすることができる。また、表示部２０Ｄが展開状態から折り畳み状態へ向けて状態移行する際、もしくは折り畳み状態となる際に電源が切断されるようにすることができる。このため、視聴者の利便性が向上する。
【００５３】
また、表示装置４では、位置センサ６２を設けるようにしたので、表示面２０ＤＳの水平方向における寸法に応じて、表示面２０ＤＳに表示される画像の大きさを変化させることができる。
【００５４】
また、表示装置４では、表示部２０が、通電時において非通電時よりも高い剛性を示す機能部材６３をさらに有するようにしたので、使用時における表示面２０ＤＳの平坦性をより向上させることができる。
【００５５】
＜５．変形例＞
以上、いくつかの実施の形態および変形例を挙げて本開示を説明したが、本開示は上記実施の形態等に限定されるものではなく、種々の変形が可能である。例えば上記第１の実施の形態等では、スピーカ１３Ｌ，１３Ｒを巻き取り部１０の内部に設けるようにしたが、本開示はこれに限定されるものではない。本開示では、例えば表示部の背面に可撓性を有する振動部材を設け、その可撓性振動部材を振動させることにより音声情報を再生するようにしてもよい。そのような可撓性振動部材としては、例えば、ピエゾフィルムが挙げられる。その場合、ピエゾフィルムは複数積層させてもよい。
【００５６】
上記実施の形態等では、検出部として、圧電センサや位置センサ、撮像装置などを例示したが、本開示はこれに限定されず、他のセンサ等を適宜設けるようにしてもよい。
【００５７】
また、上記第１から第４の実施の形態では、表示部としてフレキシブルディスプレイを例示して説明するようにしたが、本開示はこれに限定されるものではない。例えば図１０に示した表示装置１Ａの表示部２０Ａのように、高剛性の表示パネルである第１の表示部分２１Ａと、この第１の表示部分２１Ａとは別体であり高剛性の表示パネルである第２の表示部分２２Ａとを隣接配置してもよい。第１の表示部分２１Ａは第１の表示面２１ＡＳを含み、第２の表示部分２２Ａは第２の表示面２２ＡＳを含むものである。
【００５８】
また、上記第１の実施の形態では、第１の表示部分２１を天井面ＣＳの一部のみを占めるように設置し、第２の表示部分２２を視聴者Ｖの正面の壁面ＷＳの一部のみを占めるように設置した。本開示はこれに限定されるものではなく、例えば図１１に示した表示装置１Ｂにおける表示部２０Ｂのように、天井面ＣＳの全体を占める第１の表示部分２１Ｂと、壁面ＷＳの全体を占める第２の表示部分２２Ｂとを有するようにしてもよい。この場合、撮像装置４１，４２を用いて視聴者Ｖの顔の向きや視線ＶＬの向きなどを検出し、その向きに応じて、画像処理部５２により形成される仮想画面ＶＳ３の位置を移動させるようにするとよい。さらに、視聴者Ｖの顔の向きや視線ＶＬの向き、あるいは仮想画面ＶＳ３の位置などに応じて、スピーカ１３Ｌ，１３Ｒおよびスピーカ３２Ｌ，３２Ｒにより形成される音像の位置を移動させるようにするとよい。より臨場感に溢れる映像表現や音響表現を視聴者が楽しむことができる。
【００５９】
また、上記第１の実施の形態では、１枚のシート状の表示デバイスである表示部２０が第１の表示面２１Ｓと第２の表示面２２Ｓとを含むものとしたが、本開示はこれに限定されるものではなく、第１の表示面を含む第１の表示部と第２の表示面を含む第２の表示部とを個別に設け、それらを隣接配置するようにしてもよい。
【００６０】
また、上記第１の実施の形態では、表示装置１が、電源オフの際に収納状態となっている場合を例示したが、展開状態のまま電源オンおよび電源オフを行うようにしてもよい。
【００６１】
また、上記第２の実施の形態では、複数の圧電センサ２３により、内径２４Ｄに変化に伴う表示面２４Ｓにおける曲率の変化を検出し、推定するようにしたが、本開示はこれに限定されるものではない。例えば表示部２４が高精度の円筒状の形状を維持できるのであれば、複数の圧電センサ２３を設けずに、例えばスリット２４Ｋの幅を制御することにより、表示面２４Ｓにおける曲率を制御するようにしてもよい。
【００６２】
さらに、上記第１の実施の形態では、巻き取り部１０に収納可能なロールスクリーン型の表示部２０を例示し、上記第４の実施の形態ではドレープカーテン型の表示部２０Ｄを例示して説明したが、本技術はこれらに限定されるものではない。本技術は、例えば複数のスラットがポールやコードなどによって連結されたブラインド型の表示部にも適用可能である。
【００６３】
なお、本明細書中に記載された効果はあくまで例示であってその記載に限定されるものではなく、他の効果があってもよい。また、本技術は以下のような構成を取り得るものである。
（１）
第１の画像を表示する第１の表示面と、
前記第１の表示面に対して傾斜した角度をなすと共に第２の画像を表示する第２の表示面と、
前記第１の画像および前記第２の画像を視聴する視聴者の、前記第１の表示面および前記第２の表示面に対する相対位置を検出する検出部と、
前記第１の画像の歪みおよび前記第２の画像の歪みを補正することにより、前記検出部により検出した前記相対位置に基づいて前記視聴者に対して正対する１つの仮想画面を形成する制御部と
を備えた表示装置。
（２）
前記検出部は、前記相対位置の変化を検出し、
前記制御部は、前記相対位置の変化に応じて前記仮想画面の位置を変化させる
上記（１）記載の表示装置。
（３）
スピーカをさらに備え、
前記スピーカは、前記視聴者から見た前記仮想画面の位置に対応した位置に音像を形成する
上記（１）または（２）記載の表示装置。
（４）
回転軸を含む巻き取り部と、
フレキシブルディスプレイと
をさらに備え、
前記フレキシブルディスプレイは、前記第１の表示面および前記第２の表示面を含み、
前記フレキシブルディスプレイは前記回転軸の回転により巻き取り可能であると共に前記巻き取り部から排出可能である
上記（１）〜（３）のいずれか１つに記載の表示装置。
（５）
前記巻き取り部は、前記フレキシブルディスプレイへ給電する非接触給電部を含む
上記（４）記載の表示装置。
（６）
前記フレキシブルディスプレイは、自らの曲率を検出する曲がり検出センサを有する
上記（４）記載の表示装置。
（７）
前記制御部は、前記曲がり検出センサにより検出される前記フレキシブルディスプレイの折り曲げ位置に基づいて前記仮想画面を形成する
上記（６）記載の表示装置。
（８）
前記第１の表示面は天井面に設けられ、
前記第２の表示面は壁面に設けられている
上記（１）〜（７）のいずれか１つに記載の表示装置。
（９）
画像を表示する湾曲した表示面と、前記表示面の曲率を検出する曲がり検出センサとを含むフレキシブルディスプレイと、
前記画像を視聴する視聴者の、前記表示面に対する相対位置を検出する検出部と、
前記画像の歪みを補正することにより、前記検出部により検出した前記相対位置に基づいて前記視聴者に対して正対する１つの仮想画面を形成する制御部と
を備えた表示装置。
（１０）
本体および前記本体から引き出されたケーブルを備えた電子機器と共に壁面に設置される表示装置であって、
前記電子機器の前記本体と前記壁面との間に設けられると共に、回転軸を含む巻き取り部と、
前記回転軸の回転により巻き取り可能であると共に前記巻き取り部から引き出し可能であり、前記巻き取り部から引き出された状態において前記ケーブルを覆うことのできるフレキシブルディスプレイと
を備えた表示装置。
（１１）
第１の方向に延びるガイドレールと、
画像を表示する表示面を有し、前記第１の方向と交差する第２の方向に延びる複数の折り目において折り畳み可能であり、前記第１の方向において最小の寸法となる折り畳み状態と前記第１の方向において最大の寸法となる展開状態との間の状態移行が可能なフレキシブルディスプレイと
を備えた表示装置。
（１２）
制御部をさらに備え、
前記フレキシブルディスプレイは、前記表示面の曲率を検出する曲がり検出センサをさらに有し、
前記制御部は、前記曲がり検出センサにより検出された前記表示面の曲率に基づいて前記表示面に表示される前記画像を補正することにより、前記第１の方向および前記第２の方向の双方を含む平面に平行な仮想画面を形成する
上記（１１）記載の表示装置。
（１３）
前記フレキシブルディスプレイが前記折り畳み状態から前記展開状態へ向けて状態移行する際、もしくは前記展開状態となる際に電源が投入され、
前記フレキシブルディスプレイが前記展開状態から前記折り畳み状態へ向けて状態移行する際、もしくは前記折り畳み状態となる際に電源が切断される
上記（１１）または（１２）記載の表示装置。
（１４）
前記フレキシブルディスプレイは、前記ガイドレールを介して電源供給される
上記（１１）〜（１３）のいずれか１つに記載の表示装置。
（１５）
前記フレキシブルディスプレイは、前記第１の方向における寸法に応じて、前記画像の大きさを変化させる
上記（１１）〜（１４）のいずれか１つに記載の表示装置。
（１６）
前記フレキシブルディスプレイは、前記表示面の背面に設けられ、通電時において非通電時よりも高い剛性を示す機能部材をさらに有する
上記（１１）〜（１５）のいずれか１つに記載の表示装置。
【００６４】
本出願は、日本国特許庁において２０１７年１２月６日に出願された日本特許出願番号２０１７−２３４６２７号を基礎として優先権を主張するものであり、この出願のすべての内容を参照によって本出願に援用する。
【００６５】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１Ａ】
2019111553.tif 000003
【図１Ｂ】
2019111553.tif 000004
【図２】
2019111553.tif 000005
【図３Ａ】
2019111553.tif 000006
【図３Ｂ】
2019111553.tif 000007
【図３Ｃ】
2019111553.tif 000008
【図４】
2019111553.tif 000009
【図５Ａ】
2019111553.tif 000010
【図５Ｂ】
2019111553.tif 000011
【図６】
2019111553.tif 000012
【図７】
2019111553.tif 000013
【図８Ａ】
2019111553.tif 000014
【図８Ｂ】
2019111553.tif 000015
【図９Ａ】
2019111553.tif 000016
【図９Ｂ】
2019111553.tif 000017
【図１０】
2019111553.tif 000018
【図１１】
2019111553.tif 000019
【国際調査報告】
2019111553.tif 000020
2019111553.tif 000021
2019111553.tif 000022
2019111553.tif 000023